(57)【要約】【課題】  ケースの破損が無く、横方向に小型化できる撮像モジュールを提供すること。【解決手段】  本発明の撮像モジュールは、ガラス基板４の下面に配置され、ガラス基板４の下面に設けられた導電パターン５に接続された撮像部材６と、この撮像部材６の外周を覆う箱形のケース１４とを備え、ケース１４の側壁１４ｂの上面に設けられた引出導体１５の導体部１５ａとガラス基板４の下面に設けられた導電パターン５が柱状の接続導体１６によって接続されため、側壁１４ｂの高さを小さくでき、従って、側壁１４ｂの幅寸法を小さくしても側壁１４ｂが破損することが無く、ケース１４を横方向に小型化できて、小型のものが得られる。【選択図】  図１
2007027385.tif 000002
【特許請求の範囲】
【請求項１】
レンズからの光を通すガラス基板と、このガラス基板の下面側に設けられた導電パターンと、前記ガラス基板の下面側に配設され、前記導電パターンに接続された撮像部材と、この撮像部材の外周を覆うように配設された絶縁材からなるケースと、このケースに設けられ、前記導電パターンに接続された引出導体とを備え、前記ケースは、積層基板で形成され、平板状の底壁と、この底壁の外周辺から上方に突出した側壁と、前記底壁と前記側壁に囲まれて中央部に形成された収納部を有し、前記引出導体は、前記側壁の上面に設けられた導体部と、前記底壁の外面に設けられた端子部と、前記導体部と前記端子部を繋ぐように前記ケースに設けられた接続部を有し、前記撮像部材が前記収納部内に収納されると共に、前記導電パターンと前記引出導体の前記導体部は、前記撮像部材の側部の近傍で、柱状の接続導体によって接続されたことを特徴とする撮像モジュール。
【請求項２】
前記接続導体がメッキによって形成されたことを特徴とする請求項１記載の撮像モジュール。
【請求項３】
前記撮像部材は、四角形状の本体部と、前記ガラス基板に対向して設けられた撮像素子と、前記導電パターンに接続される電極を有し、前記本体部の下部側には、削除部が設けられると共に、前記削除部内には、前記側壁の上面の一部が突入したことを特徴とする請求項１、又は２記載の撮像モジュール。
【請求項４】
前記削除部は、前記本体部の側部が下面側から上面に向かって直線状に切り欠きされた切り欠き部によって形成されたことを特徴とする請求項３記載の撮像モジュール。
【請求項５】
前記削除部は、前記本体部の下部側が下面側から側面の上方に向かって傾斜状に切り欠きされた切り欠き部によって形成されたことを特徴とする請求項３記載の撮像モジュール。
【発明の詳細な説明】
【技術分野】
【０００１】
本発明は、携帯電話機等に使用されるカメラモジュールに適用して好適な撮像モジュールに関するものである。
【背景技術】
【０００２】
従来の撮像モジュールの図面を説明すると、図３は従来の撮像モジュールに係る要部断面図であり、次に、従来の撮像モジュールの構成を図３に基づいて説明すると、ガラス基体５１は、レンズ部５２と、このレンズ部５２から段差を持って形成された基板部材５３を有し、この基板部材５３は、平板状の基板部５３ａと、この基板部５３ａの下面周辺から下方に突出した側壁５３ｂと、基板部５３ａと側壁５３ｂに囲まれ、下面側の中央部に設けられた凹状の収納部５３ｃを有する。
【０００３】
また、基板部材５３には、引出導体５４が設けられ、この引出導体５４は、収納部５３ｃ内の基板部５３ａの下面に設けられた導体部５４ａと、側壁５３ｂの下面に設けられた端子部５４ｂと、側壁５３ｂの側面に設けられ、導体部５４ａと端子部５４ｂとを繋ぐ接続部５４ｃを有する。
【０００４】
撮像部材５５は、シリコン材からなる四角形状の本体部５６と、この本体部５６の上面に設けられた撮像素子５７を有し、この撮像部材５５は、撮像素子５７がレンズ部５２に対向した状態で、本体部５６の全体が収納部５３ｃ内に収納され、撮像素子５７がバンプ５８によって導体部５４ａに接続されると共に、本体部５６の上面と基板部５３ａとの間には、絶縁樹脂からなるアンダーフィル５９が設けられている。
【０００５】
前面部に貫通孔６０ａを有する筒状のキャップ６０は、レンズ部５２の外周部を囲むようにガラス基体５１に取り付けられて、従来の撮像モジュールが形成されている（例えば、特許文献１参照）。
【０００６】
このような構成を有する従来の撮像モジュールは、引出用プリント基板６１が収納部５３ｃの下部を塞ぐように側壁５３ｂの下面に配置され、端子部５４ｂが引出用プリント基板６１の導電パターン（図示せず）に接続されるようになっている。
【特許文献１】特開２００２−２０４４００号公報（第３−第４頁、図１）
【発明の開示】
【発明が解決しようとする課題】
【０００７】
しかし、従来の撮像モジュールにおいて、基板部材５３の側壁５３ｂは、撮像部材５５の側方部を覆うために、撮像部材５５よりも高く形成する必要があり、側壁５３ｂが高くなると、側壁５３ｂの強度が弱くなって破損するため、側壁５３の幅寸法を大きくせねばならず、従って、基板部材５３が横方向に大型になる上に、側壁５３ｂは、撮像部材５５の本体部５６の側方部と間隔を持って平行に配置されているため、基板部材５３が横方向に更に大きくなって、大型になるいう問題がある。
【０００８】
本発明は、このような従来技術の実情に鑑みてなされたもので、その目的は、ケースの破損が無く、横方向に小型化できる撮像モジュールを提供することにある。
【課題を解決するための手段】
【０００９】
上記の目的を達成するために、本発明の第１の解決手段として、レンズからの光を通すガラス基板と、このガラス基板の下面側に設けられた導電パターンと、前記ガラス基板の下面側に配設され、前記導電パターンに接続された撮像部材と、この撮像部材の外周を覆うように配設された絶縁材からなるケースと、このケースに設けられ、前記導電パターンに接続された引出導体とを備え、前記ケースは、積層基板で形成され、平板状の底壁と、この底壁の外周辺から上方に突出した側壁と、前記底壁と前記側壁に囲まれて中央部に形成された収納部を有し、前記引出導体は、前記側壁の上面に設けられた導体部と、前記底壁の外面に設けられた端子部と、前記導体部と前記端子部を繋ぐように前記ケースに設けられた接続部を有し、前記撮像部材が前記収納部内に収納されると共に、前記導電パターンと前記引出導体の前記導体部は、前記撮像部材の側部の近傍で、柱状の接続導体によって接続された構成とした。
【００１０】
また、第２の解決手段として、前記接続導体がメッキによって形成された構成とした。
【００１１】
また、第３の解決手段として、前記撮像部材は、四角形状の本体部と、前記ガラス基板に対向して設けられた撮像素子と、前記導電パターンに接続される電極を有し、前記本体部の下部側には、削除部が設けられると共に、前記削除部内には、前記側壁の上面の一部が突入した構成とした。
【００１２】
また、第４の解決手段として、前記削除部は、前記本体部の側部が下面側から上面に向かって直線状に切り欠きされた切り欠き部によって形成された構成とした。
【００１３】
また、第５の解決手段として、前記削除部は、前記本体部の下部側が下面側から側面の上方に向かって傾斜状に切り欠きされた切り欠き部によって形成された構成とした。
【発明の効果】
【００１４】
本発明の撮像モジュールは、ガラス基板の下面に配置され、ガラス基板の下面に設けられた導電パターンに接続された撮像部材と、この撮像部材の外周を覆う箱形のケースとを備え、ケースの側壁の上面に設けられた引出導体の導体部とガラス基板の下面に設けられた導電パターンが柱状の接続導体によって接続されため、側壁の高さを小さくでき、従って、側壁の幅寸法を小さくしても側壁が破損することが無く、ケースを横方向に小型化できて、小型のものが得られる。
【００１５】
また、接続導体がメッキによって形成されたため、多数個が同時に接続導体の形成ができて、生産性の良好なものが得られる。
【００１６】
また、撮像部材は、四角形状の本体部と、ガラス基板に対向して設けられた撮像素子と、導電パターンに接続される電極を有し、本体部の下部側には、削除部が設けられると共に、削除部内には、側壁の上面の一部が突入したため、側壁の幅寸法を変えることなく、側壁を本体部側に寄せることができて、ケースを横方向に小型化できて、小型のものが得られる。
【００１７】
また、削除部は、本体部の側部が下面側から上面に向かって直線状に切り欠きされた切り欠き部によって形成されたため、本体部の削除部を極力少なくできて、本体部の強度の低下を少なくできる。
【００１８】
また、削除部は、本体部の下部側が下面側から側面の上方に向かって傾斜状に切り欠きされた切り欠き部によって形成されたため、その加工性が良好であると共に、傾斜状の切り欠き部に対する側壁の突入状態を変えることができて、自由度のあるものが得られる。
【発明を実施するための最良の形態】
【００１９】
発明の実施の形態について図面を参照して説明すると、図１は本発明の撮像モジュールの第１実施例に係る要部断面図、図２は本発明の撮像モジュールの第２実施例に係る要部断面図であり、次に、本発明の撮像モジュールの第１実施例に係る構成を図１に基づいて説明すると、合成樹脂の成型品等からなる筒状の保持部材１内には、レンズ２が取り付けられると共に、保持部材１の下部には、赤外線除去フィルタ（ＩＲカットフィルタ）３が配置されている。
【００２０】
レンズ２からの光を通す平板状のガラス基板４の下面には、複数の導電パターン５が設けられると共に、このガラス基板４は、上面が赤外線除去フィルタ３に重ね合わされて配置されている。
【００２１】
撮像部材６は、シリコン材からなる四角形状の本体部７と、この本体部７の上面中央部に設けられた撮像素子８と、こ撮像素子８の外周の位置で、本体部７の上面に設けられた複数の電極９を有すると共に、この撮像部材６の撮像素子８の前面には、マイクロレンズ１０が配設されている。
【００２２】
そして、本体部７の下部側には、下面側から上面に向かって直線状に切り欠きされた切り欠き部によって形成された削除部７ａが設けられている。
【００２３】
このような構成を有する撮像部材６は、撮像素子８を上方にした状態で、ガラス基板４の下面側に配置され、電極９がバンプ１１によって導電パターン５に接続されて取り付けられる。
【００２４】
この時、撮像素子８は、レンズ２からの光が赤外線除去フィルタ３、ガラス基板４，及びマイクロレンズ１０を通って感知するようになっている。
【００２５】
感光性のシリコン樹脂等からなるダム１２は、撮像素子８とマイクロレンズ１０の外周を囲むように、本体部７の上面とガラス基板４の下面との間に環状に設けられると共に、絶縁樹脂からなるアンダーフィル１３がバンプ１１を覆うように、本体部７とガラス基板４との間に設けられる。
【００２６】
そして、ダム１２とアンダーフィル１３によって、ガラス基板４への撮像部材６の取り付けを強固にすると共に、ダム１２によって、撮像素子８側へのアンダーフィル１３の流入を防止している。
【００２７】
箱形のケース１４は、低温焼成セラミック（ＬＴＣＣ）等からなる絶縁薄板が複数枚積層された積層基板で形成され、平板状の底壁１４ａと、この底壁１４ａの外周辺から上方に突出し、平坦な上面を有する側壁１４ｂと、底壁１４ａと側壁１４ｂに囲まれて中央部に形成された収納部１４ｃを有する。
【００２８】
このケース１４には、複数の引出導体１５が設けられ、引出導体１５は、側壁１４ｂの上面に設けられた導体部１５ａと、底壁１４ａの外面に設けられた端子部１５ｂと、導体部１５ａと端子部１５ｂを繋ぐようにケース１４内に設けられた接続部１５ｃを有する。
【００２９】
なお、この実施例では、接続部１５ｃがケース１４内に設けられたもので説明したが、接続部１５ｃは、ケース１４の外表面に設けても良い。
【００３０】
このような構成を有するケース１４は、収納部１４ｃ内に本体部７の下部側の一部を収納すると共に、側壁１４ｂの上面の一部を削除部７ａ内に突入させた状態で、側壁１４ｂの上面の導体部１５ａと導電パターン５との間に間隔を持たせて配置する。
【００３１】
そして、導体部１５ａと導電パターン５との間には、メッキ等によって柱状の接続導体１６が設けられて、導体部１５ａと導電パターン５との間が電気的に接続される。
【００３２】
この時、接続導体１６は、本体部７の側部の近傍に位置すると共に、側壁１４ｂの上面は、本体部７の上面よりも下方に位置して、側壁１４ｂの高さが小さくなって、本発明の撮像モジュールが形成されている。
【００３３】
このような構成を有する本発明の撮像ジュールは、引出用プリント基板１７がケース１４の底壁１４ａの下面に配置され、端子部１５ｂが引出用プリント基板１７の導電パターン（図示せず）に接続されて、電子機器の回路に接続されるようになっている。
【００３４】
また、図２は本発明の撮像モジュールの第２実施例を示し、この第２実施例について説明すると、削除部７ａは、本体部７の下部側が下面側から側面の上方に向かって傾斜状に切り欠きされた切り欠き部によって形成されたものであり、その他の構成は、前記第１実施例と同様の構成を有し、同一部品に同一番号を付し、ここではその説明を省略する。
【００３５】
なお、上記実施例における削除部７ａは、直線状の切り欠き部と傾斜状の切り欠き部で形成されたもので説明したが、削除部７ａは、その他の形状の切り欠き部によって形成しても良い。
【図面の簡単な説明】
【００３６】
【図１】本発明の撮像モジュールの第１実施例に係る要部断面図である。
【図２】本発明の撮像モジュールの第２実施例に係る要部断面図である。
【図３】従来の撮像モジュールに係る要部断面図である。
【符号の説明】
【００３７】
１  保持部材
２  レンズ
３  赤外線除去フィルタ
４  ガラス基板
５  導電パターン
６  撮像部材
７  本体部
７ａ  削除部
８  撮像素子
９  電極
１０  マイクロレンズ
１１  バンプ
１２  ダム
１３  アンダーフィル
１４  ケース
１４ａ  底壁
１４ｂ  側壁
１４ｃ  収納部
１５  引出導体
１５ａ  導体部
１５ｂ  端子部
１５ｃ  接続部
１６  接続導体
１７  引出用プリント基板
【図１】
2007027385.tif 000003
【図２】
2007027385.tif 000004
【図３】
2007027385.tif 000005